(57)【特許請求の範囲】
【請求項１】
プール本体上部外周にプール水の溢流口を設けるとともに当該溢流口に接続して外側にサイドデッキを設けたプールを形成し、当該プールのサイドデッキ下部に水槽を設け、上記プール水の溢流口より低い位置に上記水槽の水槽水オーバーフローを形成し、上記水槽と上記プールとの間を低所で通水接続する開閉弁付き連通管を設け、上記水槽の側部と上記プールの側部との間に保安点検等をするに充分な広さの有頂溝状空間のトレンチを形成し、当該有頂溝状空間のトレンチ内に上記連通管の開閉弁を位置させて形成したことを特徴とする防災プール。
【発明の詳細な説明】
【０００１】
【発明の属する技術分野】
この発明は、平常時には水洗トイレの洗浄用水や冷房クーリングタワーの補給用水、或は植木の散水用水等の生活雑用水の送配水施設として使用し、震災や火災等の緊急時には水洗トイレ等の生活雑用水送配水施設の使用に加え消火用水等の緊急水の供給源として利用する水槽を学校水泳プール等のプール外周に備えた防災プールに関するものである。
【０００２】
【発明が解決しようとする課題】
平常時に水泳に供されている学校等のプールは、震災や火災等の緊急時には開放されている上方から消防ホースを投入して消火用水等の緊急水供給源、或は震災等の災害復旧までの応急生活期間にバケツ等で汲み出して水洗トイレ洗浄用水等の生活雑用水の応急水供給源として便利に利用されているが、緊急時や応急時に必要とする水量を確保するには不充分であった。
【０００３】
また十分な水量をプール内に確保しようとすると、プール自体が大きくなるためその敷地やプール水質管理等の問題から不経済な施設となり、また、プールに連接して水槽を設ける場合には、水槽水と水質管理されたプール水の混入によって生じる健康上等の問題、或はそれらの設置上の問題、管理保安上の問題、メインテナンスの問題等に検討すべき多くの課題があった。
【０００４】
この発明は上述の課題を解決し、平常時は水槽水をプール水に混入することなく水洗トイレ用水等の生活雑用水の送配水施設として使用し、火災等の緊急時にはプール水と合わせて大量の消火用水等の緊急水供給源として使用できる経済的な水槽を備えた防災プールを提供するものである。
【０００５】
【課題を解決するための手段】
この発明の防災プールは、プール本体上部外周にプール水の溢流口を設けるとともにその溢流口に接続して外側にサイドデッキを設けたプールを形成し、このプールのサイドデッキ下部に水槽を設け、上記プール水の溢流口より低い位置に上記水槽の水槽水オーバーフローを形成し、上記水槽と上記プールとの間を低所で通水接続する開閉弁付き連通管を設けてなるもので、平常時はプール水の水位を水槽水の水位より高くして水槽水がプール内へ侵入し混入しないように形成するとともに、緊急時には上記連通管の開閉弁を開けて水槽水とプール水を合わせて使用できるように形成する。
【０００６】
さらに、上記水槽の側部とプールの側部との間に保安点検等をするに充分な広さの有頂溝状空間のトレンチを形成し、このトレンチ内に上記連通管の開閉弁を位置させて形成し、プールに付帯する配管やポンプ等をトレンチ内にコンパクトに収納して保安管理し、一般人の誤操作から隔離して安全性を確保するとともに、緊急時には施設管理者がトレンチ内の連通管の開閉弁を開けて水槽水とプール水を合わせて使用できるように形成する。
【０００７】
なお、上記プールのサイドデッキ下部に設ける水槽に、該水槽水を溢流させて回収するオーバーフローを設け、この回収水を使用するように建物の屋根等に設けた高置タンクへ送る送配経路を形成するとともに、水槽に雨水供給用の導入管を接続して形成した場合には、震災や火災等で上水道配管等が壊れて水の供給が止まったとしても、雨水とプール水を合わせて消火用水等の緊急水や応急水の供給源として利用することができる。
【０００８】
【発明の実施の形態】
この発明の実施の形態の一例を図１及び図２の図面に基づいて説明する。
図において、１は水泳用又は遊泳用のプール、２はプール１のサイドデッキ１Ｄの下部に形成した水槽、３は水槽２とプール１との間を低所で通水接続する開閉弁３Ｖ付き連通管、４は外側のサイドデッキ１Ｄと接続してプール１の水面高さ（Ｗ．Ｌ）に設けたプール水の溢流口、５は水槽２の水面高さ（Ｗ．Ｌ）に流出口を開口させて設けた水槽水のオーバーフローである。
【０００９】
プール１は、上部を開放した有底直方体、例えば小中学校等でよく採用されている長さ２５ｍ、幅１３ｍ（６コース）、深さ１．２ｍの箱体状に、コンクリート構造体、鋼構造体、又はＦＲＰ（繊維強化プラスチック）材等の合成樹脂構造体、若しくはそれらを組み合わせた構造体等で水を溜めるプール本体を形成し、そのプール本体の上部外周には、プール１の貯水高さを越えるプール水を溢流させて回収する溢流口４を、水泳者や遊泳者等が休んだり遊ぶ場所或は通路となる外側のサイドデッキ１Ｄに接続して形成している。
【００１０】
溢流口４から回収したプール水は、溢流口４の排出管４Ｐから外部へ廃棄したり、プール１の底部からポンプ８Ｐでプール水を引き抜き濾過器８Ｆを経てプール１へ戻すプール水再使用の循環経路８へ排出管４Ｐから送るように形成する。また、プール１で使用するプール水は、上水道配管１０から供給するように形成する。
【００１１】
水槽２は、プール１の本体外周上部の外側に設けたサイドデッキ１Ｄの下部に形成し、その水槽２は、コンクリート構造体、鋼構造体、又はＦＲＰ材等の合成樹脂構造体、若しくはそれらを組み合わせた構造体等で形成した角筒体又は円筒体を、プール１の長四角形の本体側部外周に沿って、両端部をそれぞれ密閉し長四角形の一辺に沿った直線形状、長四角形の二辺に沿ったＬ字形状、又は長四角形の三辺に沿ったコ字形状の形状、或は両端部を接続して長四角形リング状の形状に配設して、その筒体の内部に水が溜められるように形成する。
【００１２】
この水槽２の上部には、プール水の溢流口４より低い位置に水槽水の流出口を開口し、貯水高さを越える水槽水を溢流させて回収するオーバーフロー５を設ける。オーバーフロー５から回収した水槽水は、オーバーフロー５のオーバーフロー管５Ｐから外部へ廃棄したり、水槽水をポンプ７Ｐで引き抜いて建物７Ｈの屋根等に設けた高置タンク７Ｔへ送り建物７Ｈの居住者へ生活雑用水として供給する送配経路７へオーバーフロー管５Ｐから送るように形成する。
【００１３】
水槽２に溜める水槽水は、建物７Ｈの屋根等に降った比較的きれいな雨水６Ｒを雨樋等で集めて回収し水槽２に接続して設けた雨水供給用の導入管６から供給、或は井戸（図示省略）等から供給されるように形成し、井戸水や雨水６Ｒの供給で不足する量の補給水は、上水道配管１０から供給されるように形成する。
【００１４】
また、上述の水槽２の側部とプール１の本体側部との間には保安点検等をするに充分な広さの有頂溝状空間のトレンチ９を形成し、そのトレンチ９内には循環経路８のポンプ８Ｐや濾過器８Ｆ、配管等のプール１の付帯設備、或は必要に応じて水槽２の付帯設備をコンパクトに収納し、それらの付帯設備を一般の人が操作できず安全性が確保されるように隔離して形成するとともに、水槽２とプール１、或はそれらの付帯設備を施設管理者がトレンチ９内で保安点検等のメインテナンスができるように形成する。
【００１５】
また、前述の水槽２とプール１との間には、プール１の底部近傍に一方端を開口し他方端を水槽２の底部近傍に開口した鋼管等の配管とその配管に取り付けた仕切弁等の開閉弁３Ｖからなる連通管３を設けて低所で通水接続するとともに、その連通管３の開閉弁３Ｖを有頂溝状空間のトレンチ９内に位置させて形成する。
【００１６】
上述のようにプール水の溢流口４を設けたプール１とプール水の溢流口４より低い位置に水槽水のオーバーフロー５を設けた水槽２の各々の底部近傍部の低所を開閉弁３Ｖを取り付けた連通管３で通水接続して形成すると、溢流口４からの排水で調節制御されるプール水の水位はオーバーフロー５からの流出で調節制御される水槽水の水位より高くなるため、連通管３の弁３Ｖが万一破損したとしても、水圧差によって水槽水がプール１ヘ流れ込むことはなく、水泳等に使用している平常時のプール１へ水槽２に貯めた水が侵入し、プール水と混入して水泳者や遊泳者の健康を阻害する心配はなく、安全にプール１を水泳用又は遊泳用として使用することができる。
【００１７】
また、火災などの緊急時には、施設管理者がトレンチ９内に位置する連通管３の開閉弁３Ｖを開けて、開口したプール１の上方から消防用ホースを投入、又は道路地面（Ｇ．Ｌ）側等の水槽２に取り付けた給水栓１１を開けて、消防用自動車のポンプ等でプール１の水と水槽２の水を合わせて必要とする大量の水を引き抜いて使用でき、消火用等の緊急水の供給源として利用することができる。
【００１８】
なお、図１の形態例は、鋼板構造体で形成したプール１の本体側部外周に沿って有頂溝状空間のトレンチ９を形成し、そのトレンチ９を介してコンクリート構造体の角筒体で形成した水槽２を設け、その水槽２の上面をプール１のサイドデッキ１Ｄに形成するとともに、そのサイドデッキ１Ｄとプール１の外周上部との間に簀の子形状の流出口を設けた溢流口４を形成した防災プールを示したものであるが、有頂溝状空間のトレンチ９を形成することなく、プール１の本体側部と水槽２の本体側部の隣接する壁体を共通にして一枚の壁体で形成するとともに、プール１の底部に一方端を開口し他方端を水槽２の底部に開口した配管とその配管に開閉弁３Ｖからなる連通管３を設けた構造（図示省略）に形成すると、省スペースで材料節約の経済的な構造とすることができる。
【００１９】
また、図示の防災プールは、プール１の底部より低い位置に水槽２の底部を形成し、プール水を連通管３を介して水槽２に導入しプール水と水槽水の全量を給水栓１１から供給し易い構造に形成した形態例を示しているが、プール１の底部位置より高い位置に水槽２の底部位置を形成し、水槽水を連通管３を介してプール１に導入して開放したプール１の上方から消防ホースを投入して水を汲みだし、或は循環経路８のポンプ８Ｐを利用して給水栓１１から供給し易いように形成してもよい。
【００２０】
また、上述の防災プール１は、学校等の街区防災拠点に設置すると、防災拠点を目指して避難してきた被災者が生活雑用水の供給源として便利に活用することができ、より有効な災害対策施設となる。
【００２１】
また、前述の小中学校等でよく採用されている長さ２５ｍ、幅１３ｍプール１のサイドデッキ１Ｄの下部に約３．５ｍ幅でプール１と同じ深さに両端部を接続した四角リング状形状に形成した角筒体の水槽２を設置した場合には、プール１の貯水量とほぼ同量の大量な水を溜めて利用することができるため、学校等のプール１の、通常は遊休空間となるサイドデッキ１Ｄの下部を有効に利用し、学校等の敷地活用が図れる利点をも有する。
【００２２】
更にまた、前述した雨水供給用の導入管６を接続した水槽２を備えた防災プール１は、震災等で上水道配管１０が壊れて上水道配管１０からの水供給が止まったとしても雨水６Ｒを集めて応急の生活雑用水、或は消火用水等の緊急水として利用することができるので、防災施設として、より適した施設となる。
【００２３】
また、プール水の循環経路８の濾過器８Ｆの下流側に浄化装置１２を設け、濾過器８Ｆからのプール水を浄化装置１２で浄化し給水栓１１から飲料用水として供給できるように形成した場合には、防災施設としての機能を更に増した防災プールにすることができる。
【００２４】
更に、前述の連通管３に取り付ける開閉弁３Ｖを、感震作動形の開閉弁とすれば、応答作動が早く、震災対策機能を付加することができる。
【００２５】
また、前述の水槽２の側部とプール１の本体側部との間に設ける有頂溝状空間のトレンチ９を、水が溜められる水密な構造に形成した場合には、雨水等を溜めて、更に利用できる貯水量を増した防災プールとすることができる。
【００２６】
【発明の効果】
叙述のようにこの発明の防災プールは、プール本体上部外周にプール水の溢流口を設けるとともにその溢流口に接続して外側にサイドデッキを設けたプールを形成し、このプールのサイドデッキ下部に水槽を設け、上記プール水の溢流口より低い位置に上記水槽の水槽水オーバーフローを形成し、上記水槽とプールとの間を低所で通水接続する開閉弁付き連通管を設けてなるもので、平常時はプール水の水位を水槽水の水位より高くして水槽水がプール内へ侵入し混入しないように形成するとともに、緊急時には上記連通管の開閉弁を開けて水槽水とプール水を合わせて使用できるように形成するので、水泳に供されている平常時は、プール水の水位が水槽水の水位より高いため水槽水がプール内へ混入することなく安全に水泳用等に使用でき、火災等の緊急時には、水槽とプールとの間を低所で通水接続する連通管の弁を開けてプール内の水と水槽内の水を合わせて必要とされる大量の消火用水等の緊急水供給源として使用できるため防災に適した施設とすることができる。
【００２７】
さらに、上記水槽の側部とプールの側部との間に保安点検等をするに充分な広さの有頂溝状空間のトレンチを形成し、このトレンチ内に上記連通管の開閉弁を位置させて形成し、プールに付帯する配管やポンプ等をトレンチ内にコンパクトに収納して保安管理し、一般人の誤操作から隔離して安全性を確保するとともに、緊急時には施設管理者がトレンチ内の連通管の開閉弁を開けて水槽水とプール水を合わせて使用できるように形成するので、プールの付帯設備等をトレンチ内にコンパクトに収納でき、メインテナンスすることができるとともに、一般人の誤操作から付帯設備等を隔離して安全性が確保でき、かつ緊急時にはトレンチ内の連通管の開閉弁を開けて水槽水とプール水を合わせて使用できるため、安全で操作性に優れた防災施設となる。
【００２８】
なお、上記プールのサイドデッキ下部に設ける水槽に、該水槽水を溢流させて回収するオーバーフローを設け、この回収水を使用するように建物の屋根等に設けた高置タンクへ送る送配経路を形成するとともに、水槽に雨水供給用の導入管を接続して形成した場合には、震災等の緊急時に上水道等が供給停止されたとしても、雨水とプール水を合わせて震災や火災等消火用水等の緊急供給源として使用することができるため、より適した防災施設となる。
【００２９】
【図面の簡単な説明】
【図１】  この発明に係る防災プールの実施形態の一例を一部省略し破断して示した斜視説明図。
【図２】  この発明に係る防災プールの接続配管の一例を一部省略し簡略化して示した概念説明図。
【符号の説明】
１  プール
１Ｄ  サイドデッキ
２  水槽
３  連通管
３Ｖ  開閉弁
４  溢流口
４Ｐ  排出管
５  オーバーフロー
５Ｐ  オーバーフロー管
６  導入管
６Ｒ  雨水
７  送配経路
７Ｐ  ポンプ
７Ｔ  高置タンク
７Ｈ  建物
８  循環経路
８Ｐ  ポンプ
８Ｆ  濾過器
９  トレンチ
１０  上水道配管
１１  給水栓
１２  浄化装置
【図１】
0003695475.tif 000002
【図２】
0003695475.tif 000003